(57)【要約】【課題】ペット用トイレを観た者が受ける不快感を緩和することができるペット用トイレを提供すること。【解決手段】本発明のペット用トイレ１Ａは、ペットのふん尿の受け皿となる底部２Ａと、底部２Ａの周縁内側から起立する内壁４Ａとその内壁４Ａの外側面を覆う透明外板５Ａとを間隔を設けて結合してなる側壁３Ａと、内壁４Ａと透明外板５Ａとの間に配設される化粧板６Ａとを備える。また、側壁３Ａは、化粧板６Ａを摺動自在に挟持するとともに、化粧板６Ａを入れ替える取出口３Ａａを有している。この化粧板６Ａは取出口３Ａａから入替自在になっている。【選択図】図１
2008086205.tif 000002
【特許請求の範囲】
【請求項１】
ペットのふん尿の受け皿となる底部と、
前記底部の周縁内側もしくは外側から起立する内壁と前記内壁の外側面を覆う透明外板とを間隔を設けて結合してなる側壁と、
前記内壁と前記透明外板との間に配設される化粧板と
を備えるとともに、
前記側壁は、前記化粧板を摺動自在に挟持するとともに、前記化粧板を入れ替える取出口を有している
ことを特徴とするペット用トイレ。
【請求項２】
ペットのふん尿の受け皿となる底部と、
前記底部の周縁内側もしくは外側から起立する内壁と前記内壁の外側面を覆う透明外板とを間隔を設けて結合してなる側壁と、
前記内壁と前記透明外板との間に配設される化粧板と
を備えるとともに、
前記透明外板は、前記内壁に対して脱着自在に結合されている
ことを特徴とするペット用トイレ。
【請求項３】
ペットのふん尿の受け皿となる底部と、
前記底部の周縁内側もしくは外側から起立する内壁と前記内壁の外側面の周縁を覆う枠部とを間隔を設けて結合してなる側壁と、
前記内壁と前記枠部との間に配設される化粧板と
を備えるとともに、
前記側壁は、前記化粧板を摺動自在に挟持するとともに、前記化粧板を入れ替える取出口を有している
ことを特徴とするペット用トイレ。
【請求項４】
ペットのふん尿の受け皿となる底部と、
前記底部の周縁内側もしくは外側から起立する内壁と前記内壁の外側面の周縁を覆う枠部とを間隔を設けて結合してなる側壁と、
前記内壁と前記枠部との間に配設される化粧板と
を備えるとともに、
前記枠部は、前記内壁に対して脱着自在に結合されている
ことを特徴とするペット用トイレ。
【請求項５】
ペットのふん尿の受け皿となる底部と、
前記底部の周縁内側もしくは外側から起立する側壁と、
前記側壁の外側面を覆う化粧板と
を備えるとともに、
前記化粧板は、前記側壁の外側面に対して脱着自在に結合されている
ことを特徴とするペット用トイレ。
【請求項６】
前記側壁および前記化粧板は、通気孔を有している
ことを特徴とする請求項１から請求項５のいずれか１項に記載のペット用トイレ。
【請求項７】
前記底部および前記側壁は、別個独立に形成されている
ことを特徴とする請求項１から請求項６のいずれか１項に記載のペット用トイレ。
【請求項８】
前記側壁は、前記側壁を２個以上に分割した間に回動軸を介在させて形成されているとともに、前記回動軸を回動中心として重畳自在に形成されている
ことを特徴とする請求項７に記載のペット用トイレ。
【請求項９】
前記側壁は、前記側壁を２個以上に分割した間に連結部を介在させて形成されているとともに、前記連結部における着脱により前記側壁を２個以上に分割自在に形成されている
ことを特徴とする請求項７または請求項８に記載のペット用トイレ。
【発明の詳細な説明】
【技術分野】
【０００１】
本発明は、ペット用トイレに係り、特に、ペットのふん尿の受け皿となる底部の周縁内側もしくは外側から側壁が起立している犬用トイレもしくは猫用トイレに好適に利用できるペット用トイレに関する。
【背景技術】
【０００２】
一般的に、犬や猫などのペットがふん尿を排泄する持ち運び可能な便器として、ペット用トイレが用いられている。
【０００３】
図１４および図１５に示すように、従来のペット用トイレ１０１Ａ、１０１Ｂは、底部１０２Ａ、１０２Ｂおよび側壁１０３Ａ、１０３Ｂを備えている。この底部１０２Ａ、１０２Ｂはペットのふん尿の受け皿となるものであり、一般的には吸水シート１０２Ａｂ、１０２Ｂｂを有している。また、側壁１０３Ａ、１０３Ｂは底部１０２Ａ、１０２Ｂの周縁内側から起立しており、神経質なペットを囲んで排泄を促進させたり、犬の片足上げ排泄の際に尿が飛散することを防止する（特許文献１を参照）。
【０００４】
ここで、一般的な従来のペット用トイレ１０１Ａ、１０１Ｂは、ペット用トイレ１０１Ａ、１０１Ｂから生じる嫌なイメージを払拭し、観者に対して不快感を与えないため、その底部１０２Ａ、１０２Ｂおよび側壁１０３Ａ、１０３Ｂの外面に半透明青色、半透明黄色、半透明橙色、白色、その他の爽快色を用いて形成されていた。
【０００５】
【特許文献１】実開平６−８４８４３号公報
【発明の開示】
【発明が解決しようとする課題】
【０００６】
しかしながら、従来のペット用トイレ１０１Ａ、１０１Ｂがその底部１０２Ａ、１０２Ｂおよび側壁１０３Ａ、１０３Ｂに対して爽快色を用いて形成されていたとしても、長期間の使用によりその爽快色に見慣れてしまい、ペット用トイレ１０１Ａ、１０１Ｂを観た者は不快感を受けてしまうという問題があった。
【０００７】
また、ペットがペット用トイレ１０１Ａ、１０１Ｂにふん尿を排泄した場合、従来のペット用トイレ１０１Ａ、１０１Ｂは側壁１０３Ａ、１０３Ｂによって半密閉されていたので、ふん尿から生じる悪臭がペット用トイレ１０１Ａ、１０１Ｂの内部に溜まりやすいという問題もあった。
【０００８】
さらに、図１４に示すように、従来のペット用トイレ１０１Ａにおいては、底部１０２Ａおよび側壁１０３Ａが一体形成されていたので、ペット用トイレ１０１Ａが大型になるほど収納スペースが大きくなってしまうという問題があった。
【０００９】
そこで、本発明はこれらの点に鑑みてなされたものであり、ペット用トイレを観た者が受ける不快感を緩和することができるペット用トイレを提供することをその目的としている。
【００１０】
また、本発明は、ふん尿から生じる悪臭が溜まってしまうことを防止することができるペット用トイレを提供することを他の目的としている。
【００１１】
さらに、本発明は、ペット用トイレの不使用時にコンパクトに収納することができるペット用トイレを提供することを他の目的としている。
【課題を解決するための手段】
【００１２】
前述した目的を達成するため、本発明のペット用トイレは、その第１の態様として、ペットのふん尿の受け皿となる底部と、底部の周縁内側もしくは外側から起立する内壁と内壁の外側面を覆う透明外板とを間隔を設けて結合してなる側壁と、内壁と透明外板との間に配設される化粧板とを備えるとともに、側壁は化粧板を摺動自在に挟持するとともに、化粧板を入れ替える取出口を有していることを特徴としている。
【００１３】
なお、本発明の化粧板は、木造建築物に用いられる狭義の化粧板でなく、色彩や模様が付されており観者に美観を生じさせる広義の化粧板である。
【００１４】
本発明の第１の態様のペット用トイレによれば、透明外板を介して視認される化粧板を側壁の取出口から入れ替えることができるので、ペット用トイレの色や模様を化粧板の変更により自由に変更することができる。
【００１５】
本発明の第２の態様のペット用トイレは、ペットのふん尿の受け皿となる底部と、底部の周縁内側もしくは外側から起立する内壁と内壁の外側面を覆う透明外板とを間隔を設けて結合してなる側壁と、内壁と透明外板との間に配設される化粧板とを備えるとともに、透明外板は、内壁に対して脱着自在に結合されていることを特徴としている。
【００１６】
本発明の第２の態様のペット用トイレによれば、透明外板を介して視認される化粧板をその透明外板の脱着により入れ替えることができるので、ペット用トイレの色や模様を化粧板の変更により自由に変更することができる。
【００１７】
本発明の第３の態様のペット用トイレは、ペットのふん尿の受け皿となる底部と、底部の周縁内側もしくは外側から起立する内壁と内壁の外側面の周縁を覆う枠部とを間隔を設けて結合してなる側壁と、内壁と枠部との間に配設される化粧板とを備えるとともに、側壁は、化粧板を摺動自在に挟持するとともに、化粧板を入れ替える取出口を有していることを特徴としている。
【００１８】
本発明の第３の態様のペット用トイレによれば、側壁の枠部に押えられた化粧板を側壁の取出口から入れ替えることができるので、ペット用トイレの色や模様を化粧板の変更により自由に変更することができる。
【００１９】
本発明の第４の態様のペット用トイレは、ペットのふん尿の受け皿となる底部と、底部の周縁内側もしくは外側から起立する内壁と内壁の外側面の周縁を覆う枠部とを間隔を設けて結合してなる側壁と、内壁と枠部との間に配設される化粧板とを備えるとともに、枠部は、内壁に対して脱着自在に結合されていることを特徴としている。
【００２０】
本発明の第４の態様のペット用トイレによれば、側壁の枠部に押えられた化粧板をその枠部の脱着により入れ替えることができるので、ペット用トイレの色や模様を化粧板の変更により自由に変更することができる。
【００２１】
本発明の第５の態様のペット用トイレは、ペットのふん尿の受け皿となる底部と、底部の周縁内側もしくは外側から起立する側壁と、側壁の外側面を覆う化粧板とを備えるとともに、化粧板は、側壁の外側面に対して脱着自在に結合されていることを特徴としている。
【００２２】
本発明の第５の態様のペット用トイレによれば、側壁の外側面に結合された化粧板をその脱着により取り替えることができるので、ペット用トイレの色や模様を化粧板の変更により自由に変更することができる。
【００２３】
本発明の第６の態様のペット用トイレは、第１から第５のいずれか１の態様のペット用トイレにおいて、側壁および化粧板は、通気孔を有していることを特徴としている。
【００２４】
本発明の第６の態様のペット用トイレによれば、側壁の通気孔から空気が流入出するので、側壁および化粧板に囲まれたペット用トイレの内部を換気することができる。
【００２５】
本発明の第７の態様のペット用トイレは、第１から第６のいずれか１の態様のペット用トイレにおいて、前記底部および前記側壁は、別個独立に形成されていることを特徴としている。
【００２６】
本発明の第７の態様のペット用トイレによれば、底部および側壁を分離することができるので、それぞれを別個に収納することができる。また、第７の態様の底部の代わりに他の態様の底部を代用することができるので、底部のみからなるペット用トイレに第７の態様の側壁を組み合わせることによって、第７の態様のペット用トイレを形成することができる。
【００２７】
本発明の第８の態様のペット用トイレは、第７の態様のペット用トイレにおいて、前記側壁は、前記側壁を２個以上に分割した間に回動軸を介在させて形成されているとともに、前記回動軸を回動中心として重畳自在に形成されていることを特徴としている。
【００２８】
本発明の第８の態様のペット用トイレによれば、側壁を重畳して小さくすることができるので、側壁を使用しないときにコンパクトに収納することができる。
【００２９】
本発明の第９の態様のペット用トイレは、第７または第８の態様のペット用トイレにおいて、前記側壁は、前記側壁を２個以上に分割した間に連結部を介在させて形成されているとともに、前記連結部における着脱により前記側壁を２個以上に分割自在に形成されていることを特徴としている。
【００３０】
本発明の第９の態様のペット用トイレによれば、側壁を使用しないときに側壁を分割収納することができる。
【発明の効果】
【００３１】
本発明のペット用トイレによれば、ペット用トイレの色や模様を化粧板の変更により自由に変更することができるので、化粧板を変更する都度にペット用トイレから受ける印象が変化し、ペット用トイレを観た者が受ける不快感を緩和することができるという効果を奏する。
【００３２】
また、本発明のペット用トイレによれば、側壁および化粧板に囲まれたペット用トイレの内部を換気することができるので、ふん尿から生じる悪臭が溜まってしまうことを防止することができるという効果を奏する。
【００３３】
さらに、本発明のペット用トイレによれば、底部および側壁が別個独立に形成されており、その側壁が重畳自在に形成されているので、ペット用トイレの不使用時にコンパクトに収納することができるという効果を奏する。
【発明を実施するための最良の形態】
【００３４】
以下、図１から図８を用いて、本発明のペット用トイレを、第１から第６の実施形態により説明する。
【００３５】
はじめに、図１および図２を用いて、第１の実施形態のペット用トイレ１Ａを説明する。図１は第１の実施形態のペット用トイレ１Ａを示す斜視図であり、図２は第１の実施形態のペット用トイレ１Ａを示す平面図である。
【００３６】
第１の実施形態のペット用トイレ１Ａは、図１に示すように、底部２Ａ、側壁３Ａおよび化粧板６Ａを備えている。
【００３７】
ここで、底部２Ａは、犬や猫などのペットが排泄するふん尿の受け皿となるものであり、軽量および成形性に優れたプラスチックを用いて形成されている。この底部２Ａの底面２ａはペットが排泄しやすいように平面状に形成されており、その底面２ａに吸水シート２ｂもしくは吸水マット（図示せず）が敷かれている。
【００３８】
側壁３Ａは内壁４Ａおよび透明外板５Ａからなる。側壁３Ａの内側にある内壁４Ａはプラスチックを用いて底部２Ａの矩形周縁内側の四方から起立するように形成されている。この内壁４Ａは、図１に示すように、底部２Ａと一体に形成されている。また、この内壁４Ａは周縁四方のうちの三方の部分４Ａａ、４Ａｂ、４Ａｃの高さを揃え、他の一方の部分４Ａｄの高さをその三方の部分４Ａａ、４Ａｂ、４Ａｃの高さよりも低くすることにより、ペットのふん尿が底部２Ａから飛散することを防止するとともに、ペットが内壁４Ａの内側に移動し易いようになっている。
【００３９】
透明外板５Ａは、透明アクリル板を用いて形成されており、内壁４Ａの外側面を覆うように配設されている。第１の実施形態の透明外板５Ａは、内壁４Ａの高さが等しい三方の部分４Ａａ、４Ａｂ、４Ａｃに１枚ずつ配設されており、その各透明外板５Ａの中央上部から下方放物線状にくぼんだ切欠部５Ａａを有している。
【００４０】
また、この透明外板５Ａは、内壁４Ａに対して所定の間隔、具体的には化粧板６Ａの厚さ以上の距離だけ離間して結合されている。この離間により、内壁４Ａおよび透明外板５Ａは化粧板６Ａを摺動自在に挟持している。透明外板５Ａの結合方法としては、接着、ねじ止め、係合爪や係合ピンによる係合などがあり、第１の実施形態においては接着によって結合されている。
【００４１】
そして、この内壁４Ａおよび透明外板５Ａを結合してなる側壁３Ａは、図２に示すように、断面矩形状の取出口３Ａａを有している。この取出口３Ａａは化粧板６Ａの挿入断面形状よりも大きな形状に形成されており、図１に示す透明外板５Ａの切欠部５Ａａを利用してこの取出口３Ａａから化粧板６Ａの入れ替えを行なうことができるようになっている。
【００４２】
化粧板６Ａは厚紙またはプラスチック板を用いて形成されており、その表面には爽快色や模様、ペットの絵や写真など、観者に美観を生じさせるものが付されていたり描かれたりしている。また、この化粧板６Ａは、図１に示すように、側壁３Ａを形成する内壁４Ａおよび透明外板５Ａの間に配設されている。
【００４３】
なお、ここでの化粧板６Ａおよび後述の化粧板６Ｂは、木造建築物に用いられる狭義の化粧板に限定されるものではなく、色彩や模様などが付されており観者に美観を生じさせる広義の化粧板を意味している。
【００４４】
また、第１の実施形態の側壁３Ａおよび化粧板６Ａは、必要に応じて図示しない無数の通気孔を有している。この通気孔は、美観を損なわないようにメッシュ状に形成されている。
【００４５】
次に、図１および図２を用いて、第１の実施形態のペット用トイレ１Ａの作用を説明する。
【００４６】
第１の実施形態のペット用トイレ１Ａは、図１に示すように、内壁４Ａおよび透明外板５Ａからなる側壁３Ａを底部２Ａの周縁内側に備えており、その内壁４Ａおよび透明外板５Ａの間に化粧板６Ａが設けられている。また、この側壁３Ａは、内壁４Ａおよび透明外板５Ａの間に配設された化粧板６Ａを摺動自在に挟持しつつ、その化粧板６Ａの入れ替えを行なう取出口３Ａａを有している。
【００４７】
従来のペット用トイレ１０１Ａ、１０１Ｂ（図１４および図１５参照）を長期間使用していると、どんなにさわやかな色づかいであっても見慣れてしまうため、ペット用トイレ１０１Ａ、１０１Ｂの嫌なイメージを払拭しにくく、不快感を生じやすい。そのため、第１の実施形態のペット用トイレ１Ａの側壁３Ａに化粧板６Ａを配設することにより、自分好みの化粧板６Ａを透明外板５Ａを介して視認することができる。また、その化粧板６Ａに飽きたら側壁３Ａの取出口３Ａａからその化粧板６Ａを入れ替えることができる。
【００４８】
つまり、第１の実施形態のペット用トイレ１Ａは、ペット用トイレ１Ａの色や模様を化粧板６Ａの変更により自由に変更することができるので、化粧板６Ａを変更する都度にペット用トイレ１Ａから受ける印象が変化し、ペット用トイレ１Ａを観た者が受ける不快感を緩和することができるという効果を奏する。
【００４９】
また、第１の実施形態のペット用トイレ１Ａは、側壁３Ａおよび化粧板６Ａに通気孔を有している。ペット用トイレ１Ａにおいてペットがふん尿を排泄すれば、側壁３Ａがふん尿を囲んでいるために悪臭が溜まりやすい。そのため、側壁３Ａおよび化粧板６Ａの通気孔から空気を流入出させることにより、側壁３Ａおよび化粧板６Ａに囲まれたペット用トイレ１Ａの内部を換気することができるので、ふん尿から生じる悪臭が溜まってしまうことを防止することができるという効果を奏する。
【００５０】
次に、図３を用いて、第２の実施形態のペット用トイレ１Ｂを説明する。ここで、図３は、第２の実施形態のペット用トイレ１Ｂを示す斜視図である。
【００５１】
第２の実施形態のペット用トイレ１Ｂは、図３に示すように、底部２Ａ、側壁３Ｂおよび化粧板６Ａを備えている。ここで、この底部２Ａおよび化粧板６Ａは第１の実施形態の底部２Ａおよび化粧板６Ａと同様にして形成されているが、その側壁３Ｂは第１の実施形態と異なる。
【００５２】
第２の実施形態の側壁３Ｂは内壁４Ｂおよび透明外板５Ｂからなる。側壁３Ｂの内側にある内壁４Ｂは、第１の実施形態と同様、プラスチックを用いて底部２Ａの矩形周縁内側の四方から起立するように形成されている。また、この内壁４Ｂは、底部２Ａの周縁四方のうちの三方の部分４Ｂａ、４Ｂｂ、４Ｂｃの高さを揃え、他の一方の部分４Ｂｄの高さをその三方の部分４Ｂａ、４Ｂｂ、４Ｂｃの高さよりも低くして形成されている。
【００５３】
透明外板５Ｂは、透明アクリル板を用いて形成されており、内壁４Ｂの外側面を覆うように配設されている。第２の実施形態の透明外板５Ｂは、第１の実施形態と同様、内壁４Ｂの高さが等しい三方の部分４Ｂａ、４Ｂｂ、４Ｂｃに１枚ずつ配設されている。しかし、第１の実施形態とは異なり、第２の実施形態の透明外板５Ｂは切欠部５Ａａを有していない。
【００５４】
また、この透明外板５Ｂは、内壁４Ｂに対して所定の間隔、具体的には化粧板６Ａの厚さと同程度の距離だけ離間して結合されている。つまり、第１の実施形態とは異なり、内壁４Ｂおよび透明外板５Ｂは化粧板６Ａを摺動させない程度に挟持している。その代わり、透明外板５Ｂの結合方法としては、ねじ止め、係合爪や係合ピンによる係合などの内壁４Ｂに対して脱着自在な結合方法が採用されており、第２の実施形態においてはねじ８を用いて結合されている。
【００５５】
なお、化粧板６Ａの大きさに限定はないため、図１１に示すように、化粧板６Ａの大きさが内壁４Ｂの大きさと同等に形成されていてもよい。その場合、内壁４Ｂに形成された支持棒４Ｂｓを化粧板６Ａの係合穴６Ａｈに貫通させてから内壁４Ｂと透明外板５Ｂとをねじ８により結合させる。
【００５６】
また、第１の実施形態と同様、側壁３Ｂおよび化粧板６Ａに通気孔（図示せず）を設けてもよい。
【００５７】
次に、図３を用いて、第２の実施形態のペット用トイレ１Ｂの作用を説明する。
【００５８】
第２の実施形態のペット用トイレ１Ｂは、図３に示すように、底部２Ａ、側壁３Ｂおよび化粧板６Ａからなる。ここで、この側壁３Ｂにおける内壁４Ｂおよび透明外板５Ｂは、所定の間隙を設けて結合されている。また、この内壁４Ｂと透明外板５Ｂとの間には化粧板６Ａが配設されている。ここで、透明外板５Ｂは内壁４Ｂに対して脱着自在に結合されているので、化粧板６Ａを自由に入れ替えることができる。
【００５９】
つまり、第２の実施形態のペット用トイレ１Ｂは、透明外板５Ｂを介して視認される化粧板６Ａをその透明外板５Ｂの脱着により入れ替えることができるので、第１の実施形態と同様、ペット用トイレ１Ｂの色や模様を化粧板６Ａの変更により自由に変更することができる。そのため、化粧板６Ａを変更する都度にペット用トイレ１Ｂから受ける印象が変化し、ペット用トイレ１Ｂを観た者が受ける不快感を緩和することができる。
【００６０】
次に、図４を用いて、第３の実施形態のペット用トイレ１Ｃを説明する。ここで、図４は、第３の実施形態のペット用トイレ１Ｃを示す斜視図である。
【００６１】
第３の実施形態のペット用トイレ１Ｃは、図４に示すように、底部２Ａ、側壁３Ｃおよび化粧板６Ａを備えている。ここで、この底部２Ａおよび化粧板６Ａは第１および第２の実施形態の底部２Ａおよび化粧板６Ａと同様にして形成されているが、その側壁３Ｃは第１および第２の実施形態と異なる。
【００６２】
第３の実施形態の側壁３Ｃは、図４に示すように、内壁４Ｃおよび枠部７Ａからなる。側壁３Ｃの内側にある内壁４Ｃは、第１および第２の実施形態と同様、プラスチックを用いて底部２Ａの矩形周縁内側の四方から起立するように形成されている。また、この内壁４Ｃは、底部２Ａの周縁四方のうちの三方の部分４Ｃａ、４Ｃｂ、４Ｃｃの高さを揃え、他の一方の部分４Ｃｄの高さをその三方の部分４Ｃａ、４Ｃｂ、４Ｃｃの高さよりも低くして形成されている。
【００６３】
枠部７Ａは矩形枠状に形成されており、内壁４Ｃの高さが等しい三方の部分４Ｃａ、４Ｃｂ、４Ｃｃにおける外側面の矩形周縁をそれぞれ覆っている。また、この枠部７Ａは、内壁４Ｃに対して所定の間隔、具体的には化粧板６Ａの厚さ以上の距離だけ離間して結合されている。この離間により、内壁４Ｃおよび枠部７Ａは化粧板６Ａを摺動自在に挟持するとともに、内壁４Ｃおよび枠部７Ａの間に化粧板６Ａが配設された際に枠部７Ａの枠内７Ａａから化粧板６Ａが視認されるようになっている。枠部７Ａの結合方法としては、接着、ねじ止め、係合爪や係合ピンによる係合などがあり、第３の実施形態においては接着によって結合されている。
【００６４】
さらに、この内壁４Ｃおよび枠部７Ａを結合してなる側壁３Ｃは、図４に示すように、断面矩形状の取出口３Ｃａを有している。この取出口３Ｃａは化粧板６Ａの挿入断面形状よりも大きな形状に形成されており、この取出口３Ｃａから化粧板６Ａの入れ替えを行なうことができるようになっている。
【００６５】
なお、第１および第２の実施形態と同様、側壁３Ｃおよび化粧板６Ａに通気孔（図示せず）を設けてもよい。
【００６６】
次に、図４を用いて、第３の実施形態のペット用トイレ１Ｃの作用を説明する。
【００６７】
第３の実施形態のペット用トイレ１Ｃは、図４に示すように、内壁４Ｃおよび枠部７Ａからなる側壁３Ｃを底部２Ａの周縁内側に備えており、その内壁４Ｃおよび枠部７Ａの間に化粧板６Ａが設けられている。また、この側壁３Ｃは、内壁４Ｃおよび枠部７Ａの間に配設された化粧板６Ａを摺動自在に挟持しつつ、その化粧板６Ａの入れ替えを行なう取出口３Ｃａを有している。そのため、側壁３Ｃに化粧板６Ａを配設することにより、自分好みの化粧板６Ａを枠部７Ａの枠内７Ａａから視認することができる。また、その化粧板６Ａに飽きたら側壁３Ｃの取出口３Ｃａからその化粧板６Ａを入れ替えることができる。
【００６８】
すなわち、本発明の第３の実施形態のペット用トイレ１Ｃによれば、側壁３Ｃの枠部７Ａに押えられた化粧板６Ａを側壁３Ｃの取出口３Ｃａから入れ替えることができるので、ペット用トイレ１Ｃの色や模様を化粧板６Ａの変更により自由に変更することができる。
【００６９】
次に、図５を用いて、第４の実施形態のペット用トイレ１Ｄを説明する。ここで、図５は、第４の実施形態のペット用トイレ１Ｄを示す斜視図である。
【００７０】
第４の実施形態のペット用トイレ１Ｄは、図５に示すように、底部２Ａ、側壁３Ｄおよび化粧板６Ａを備えている。ここで、この底部２Ａおよび化粧板６Ａは第１の実施形態の底部２Ａおよび化粧板６Ａと同様にして形成されているが、その側壁３Ｄは第１の実施形態と異なる。
【００７１】
第４の実施形態の側壁３Ｄは内壁４Ｄおよび枠部７Ｂからなる。側壁３Ｄの内側にある内壁４Ｄは、第１から第３の実施形態と同様、プラスチックを用いて底部２Ａの矩形周縁内側の四方から起立するように形成されている。また、この内壁４Ｄは、底部２Ａの周縁四方のうちの三方の部分４Ｄａ、４Ｄｂ、４Ｄｃの高さを揃え、他の一方の部分４Ｄｄの高さをその三方の部分４Ｄａ、４Ｄｂ、４Ｄｃの高さよりも低くして形成されている。
【００７２】
枠部７Ｂは矩形枠状に形成されており、内壁４Ｄの高さが等しい三方の部分４Ｄａ、４Ｄｂ、４Ｄｃにおける外側面の矩形周縁をそれぞれ覆っている。また、この枠部７Ｂは、内壁４Ｄに対して所定の間隔、具体的には化粧板６Ａの厚さと同程度の距離だけ離間して結合されている。つまり、第３の実施形態と同様、内壁４Ｄおよび枠部７Ｂの間に化粧板６Ａが配設された際に枠部７Ｂの枠内７Ｂａから化粧板６Ａが視認されるようになっているが、第３の実施形態とは異なり、内壁４Ｄおよび枠部７Ｂは化粧板６Ａを摺動させない程度に挟持している。その代わり、枠部７Ｂの結合方法としては、ねじ止め、係合爪や係合ピンによる係合などの内壁４Ｄに対して脱着自在な結合方法が採用されており、第４の実施形態においてはねじ８を用いて結合されている。
【００７３】
なお、第１から第３の実施形態と同様、側壁３Ｄおよび化粧板６Ａに通気孔（図示せず）を設けてもよい。
【００７４】
次に、図５を用いて、第４の実施形態のペット用トイレ１Ｄの作用を説明する。
【００７５】
第４の実施形態のペット用トイレ１Ｄは、図５に示すように、底部２Ａ、側壁３Ｄおよび化粧板６Ａからなる。ここで、この側壁３Ｄにおける内壁４Ｄおよび枠部７Ｂは所定の間隙を設けて結合されており、その枠部７Ｂは内壁４Ｄの外側面の周縁のみを覆う枠状に形成されている。また、この内壁４Ｄと枠部７Ｂとの間には化粧板６Ａが配設されている。そのため、側壁３Ｄに配設された化粧板６Ａを枠部７Ｂの枠内７Ｂａから視認することができる。また、枠部７Ｂは内壁４Ｄに対して脱着自在に結合されているので、化粧板６Ａを自由に入れ替えることができる。
【００７６】
つまり、第４の実施形態のペット用トイレ１Ｄは、側壁３Ｄの枠部７Ｂに押えられた化粧板６Ａをその枠部７Ｂの脱着により入れ替えることができるので、第１から第３の実施形態と同様、ペット用トイレ１Ｄの色や模様を化粧板６Ａの変更により自由に変更することができる。そのため、化粧板６Ａを変更する都度にペット用トイレ１Ｄから受ける印象が変化し、ペット用トイレ１Ｄを観た者が受ける不快感を緩和することができる。
【００７７】
次に、図６を用いて、第５の実施形態のペット用トイレ１Ｅを説明する。ここで、図６は、第５の実施形態のペット用トイレ１Ｅを示す斜視図である。
【００７８】
第５の実施形態のペット用トイレ１Ｅは、図６に示すように、底部２Ａ、側壁３Ｅおよび化粧板６Ｂを備えている。ここで、この底部２Ａは第１から第４の実施形態の底部２Ａと同様にして形成されているが、その側壁３Ｅおよび化粧板６Ｂは第１から第４の実施形態と異なる。
【００７９】
側壁３Ｅはプラスチックを用いて底部２Ａの矩形周縁内側の四方から起立するように形成されている。この側壁３Ｅは、図６に示すように、底部２Ａと一体に形成されている。また、この側壁３Ｅは周縁四方のうちの三方の部分３Ｅａ、３Ｅｂ、３Ｅｃの高さを揃え、他の一方の部分３Ｅｄの高さをその三方の部分３Ｅａ、３Ｅｂ、３Ｅｃの高さよりも低くすることにより、ペットのふん尿が底部２Ａから飛散することを防止するとともに、ペットが側壁３Ｅの内側に移動し易いようになっている。つまり、この側壁３Ｅは、第１から第４の実施形態の内壁４Ａ〜４Ｄと類似して形成されているとともに、第１および第２の実施形態の透明外板５Ａ、５Ｂや第３および第４の実施形態の枠部７Ａ、７Ｂを有していない。
【００８０】
化粧板６Ｂは耐水性厚紙またはプラスチック板を用いて形成されており、その表面には爽快色や模様、ペットの絵や写真など、観者に美観を生じさせるものが付されていたり描かれたりしている。
【００８１】
また、この化粧板６Ｂは、側壁３Ｅの外側面３Ｅｅを覆うような形状に形成されており、側壁３Ｅに対して脱着自在に結合されている。具体的には、第５の実施形態においては、図６に示すように、ねじ８を用いて結合されている。係合爪や係合ピンなどの係合による脱着自在な結合であってもよい。
【００８２】
なお、第１から第４の実施形態と同様、側壁３Ｅおよび化粧板６Ｂに通気孔（図示せず）を設けてもよい。
【００８３】
次に、図６を用いて、第５の実施形態のペット用トイレ１Ｅの作用を説明する。
【００８４】
第５の実施形態のペット用トイレ１Ｅは、図６に示すように、側壁３Ｅを底部２Ａの周縁内側に備えており、その側壁３Ｅの外側面３Ｅｅに化粧板６Ｂがねじ８を用いて脱着自在に結合されている。そのため、化粧板６Ｂをその脱着により自由に取り替えることができるので、ペット用トイレ１Ｅの色や模様を化粧板６Ｂの変更により自由に変更することができる。
【００８５】
つまり、第５の実施形態のペット用トイレ１Ｅは、ペット用トイレ１Ｅの色や模様を化粧板６Ｂの変更により自由に変更することができるので、化粧板６Ｂを変更する都度にペット用トイレ１Ｅから受ける印象が変化し、ペット用トイレ１Ｅを観た者が受ける不快感を緩和することができる。
【００８６】
次に、図７を用いて、第６の実施形態のペット用トイレ１Ｆを説明する。ここで、図７は、第６の実施形態のペット用トイレ１Ｆを示す斜視図である。
【００８７】
第６の実施形態のペット用トイレ１Ｆは、図７に示すように、底部２Ｂ、側壁３Ｆおよび化粧板６Ａを備えている。
【００８８】
ここで、底部２Ｂは、第１から第５の実施形態の底部２Ａと同様、ふん尿の受け皿となるものであり、プラスチックを用いて矩形状に形成されている。この底部２Ｂの底面２ａは平面状に形成されており、その底面２ａに吸水シート２ｂもしくは吸水マット（図示せず）が敷かれている。
【００８９】
側壁３Ｆは、図７に示すように、第１の実施形態の側壁３Ａと同様、内壁４Ｆおよび透明外板５Ａからなる。また、この側壁３Ｆは、内壁４Ｆおよび透明外板５Ａの間に配設された化粧板６Ａを摺動自在に挟持しているとともに、その化粧板６Ａの入れ替えを行なう取出口３Ｆａを有している。ただし、この内壁４Ｆは、第１の実施形態の内壁４Ａとは異なり、底部２Ｂと別体に形成されており、底部６Ｂの矩形周縁の外側を部分的に囲むように起立している。また、この内壁４Ｆは、３枚に分割されたプラスチック板１３ａ、１３ｂ、１３ｃを組み合わせて平面コ字状に形成されており、各プラスチック板１３ａ、１３ｂ、１３ｃの間に蝶番などの回動軸１１をそれぞれ介在させている。
【００９０】
透明外板５Ａは第１の実施形態の透明外板５Ａと同様にして形成されており、各プラスチック板１３ａ、１３ｂ、１３ｃに１枚ずつ配設されている。また、この透明外板５Ａは、第１の実施形態と同様、内壁４Ｆに対して所定の間隔、具体的には化粧板６Ａの厚さ以上の距離だけ離間して結合されている。
【００９１】
化粧板６Ａは第１の実施形態の化粧板６Ａと同様にして形成されており、側壁３Ｆを形成する内壁４Ｆおよび透明外板５Ａの間に配設されている。
【００９２】
なお、第６の実施形態の側壁３Ｆは、底部２Ｂとの別体形成および回動軸１１の形成を除き、第２から第５の実施形態の側壁３Ｂ〜３Ｅと同様に形成されていてもよい。その際には、対応する化粧板６Ａ、６Ｂを用いることが好ましい。
【００９３】
また、第１から第５の実施形態と同様、側壁３Ｆおよび化粧板６Ａに通気孔（図示せず）を設けてもよい。
【００９４】
次に、図７および図８を用いて、第６の実施形態のペット用トイレ１Ｆの作用を説明する。ここで、図８は、第６の実施形態の側壁３Ｆを折りたたんだ状態を示す平面図である。
【００９５】
第６の実施形態のペット用トイレ１Ｆは、図７に示すように、底部２Ｂ、側壁３Ｆおよび化粧板６Ａからなる。ここで、この側壁３Ｆにおける内壁４Ｆおよび透明外板５Ａは、所定の間隙を設けて結合されており、この内壁４Ｆと透明外板５Ａとの間には化粧板６Ａが配設されている。
【００９６】
ここで、この側壁３Ｆは、内壁４Ｆおよび透明外板５Ａの間に配設された化粧板６Ａを摺動自在に挟持しているとともに、その化粧板６Ａの入れ替えを行なう取出口３Ｆａを有している。そのため、化粧板６Ａを入れ替えて変更することによりペット用トイレ１Ｆの色や模様を自由に変更することができるので、化粧板６Ａを変更する都度にペット用トイレ１Ｆから受ける印象が変化し、ペット用トイレ１Ｆを観た者が受ける不快感を緩和することができるという効果を奏する。
【００９７】
また、第６の実施形態のペット用トイレ１Ｆは、底部２Ｂおよび側壁３Ｆが別個に形成されている。そのため、底部２Ｂおよび側壁３Ｆを分離して別個に収納することができる。また、第６の実施形態の底部２Ｂの代わりに他の底部に変更し、その変更した底部に側壁３Ｆを組み合わせて使用することもできる。つまり、第６の実施形態の側壁３Ｆを底部のみからなる他のペット用トイレに組み合わせることによって、第６の実施形態のペット用トイレ１Ｆを形成することができる。
【００９８】
さらに、第６の実施形態の側壁３Ｆは、図７に示すような回動軸１１を有しているので、図８に示すように側壁３Ｆの回動軸１１を回動中心にして図示した回動方向に回動させることにより、三つ折りに小さく折り畳むことができる。そのため、側壁３Ｆを使用しないとき、その側壁３Ｆを重畳し、コンパクトに収納することができる。
【００９９】
次に、図１２を用いて、第７の実施形態のペット用トイレ１Ｇを説明する。ここで、図１２は、第７の実施形態のペット用トイレ１Ｇを示す斜視図である。
【０１００】
第７の実施形態のペット用トイレ１Ｇは、図１２に示すように、底部２Ｂ、側壁３Ｇおよび化粧板６Ａを備えている。ここで、第７の実施形態の底部２Ｂおよび化粧板６Ａは、第６の実施形態の底部２Ｂおよび化粧板６Ａと同様にして形成されているが、第７の実施形態の側壁３Ｇは、第６の実施形態の側壁３Ｇと異なって形成されている。
【０１０１】
側壁３Ｇは、図１２に示すように、第１の実施形態の側壁３Ａと同様、内壁４Ｇおよび透明外板５Ａからなる。また、この側壁３Ｇは、内壁４Ｇおよび透明外板５Ａの間に配設された化粧板６Ａを摺動自在に挟持しているとともに、その化粧板６Ａの入れ替えを行なう取出口３Ｇａを有している。ただし、この内壁４Ｇは、第１の実施形態の内壁４Ａとは異なり、底部２Ｂと別個に形成されており、底部６Ｂの矩形周縁の外側をコ字状に囲むように起立している。
【０１０２】
また、この内壁４Ｇは、３枚に分割された平板状のプラスチック板１３ａ、１３ｂ、１３ｃを組み合わせて平面コ字状を形成しているとともに、各プラスチック板１３ａ、１３ｂ、１３ｃの間に連結部１２をそれぞれ介在させて形成されている。本実施形態の連結部１２としては、ほぞおよびほぞ穴が各プラスチック板１３ａ、１３ｂ、１３ｃの端部に連続して形成されており、連結させる各連結部１２のほぞおよびほぞ穴を嵌合させることによりプラスチック板１３ａ、１３ｂ、１３ｃがそれぞれ連結されている。
【０１０３】
透明外板５Ａは第１の実施形態の透明外板５Ａと同様にして形成されており、各プラスチック板１３ａ、１３ｂ、１３ｃの形状に合わせてそれぞれに１枚ずつ配設されている。また、化粧板６Ａは第１の実施形態の化粧板６Ａと同様にして形成されており、側壁３Ｇを形成する内壁４Ｇおよび透明外板５Ａの間に配設されている。
【０１０４】
なお、第７の実施形態の側壁３Ｇは、底部２Ｂとの別体形成および連結部１２の形成を除き、第２から第６の実施形態の側壁３Ｂ〜３Ｆと同様に形成されていてもよい。例えば、図１３に示すように、各プラスチック板１３ａ、１３ｂ、１３ｃの間に連結部１２だけでなく回動軸１１をそれぞれ介在させて形成されていてもよい。その際の連結部１２としては回動軸１１の端部に図１３に示すような凹部が形成されており、その凹状の連結部１２に各プラスチック板１３ａ、１３ｂ、１３ｃの端部をそれぞれ嵌合して回動軸１１と各プラスチック板１３ａ、１３ｂ、１３ｃの端部とを分割自在に連結する。
【０１０５】
また、第１から第６の実施形態と同様、側壁３Ｇおよび化粧板６Ａに通気孔（図示せず）を設けてもよい。
【０１０６】
次に、図１２を用いて、第７の実施形態のペット用トイレ１Ｇの作用を説明する。
【０１０７】
第７の実施形態のペット用トイレ１Ｇは、図１２に示すように、底部２Ｂ、側壁３Ｇおよび化粧板６Ａからなる。ここで、この側壁３Ｇにおける内壁４Ｇおよび透明外板５Ａは所定の間隙を設けて結合されており、この内壁４Ｇと透明外板５Ａとの間には化粧板６Ａが配設されている。そのため、化粧板６Ａを入れ替えることができるので、ペット用トイレ１Ｇを観た者が受ける不快感を緩和することができるという効果を奏する。
【０１０８】
また、第７の実施形態のペット用トイレ１Ｇは、底部２Ｂおよび側壁３Ｇが別個に形成されているため、底部２Ｂおよび側壁３Ｇを分離して別個に収納することができる。また、第７の実施形態の底部２Ｂの代わりに他の底部に変更し、その変更した底部に側壁３Ｇを組み合わせて使用することもできる。
【０１０９】
さらに、第７の実施形態の側壁３Ｇは、図１２に示すような連結部１２を有している。そのため、側壁３Ｇを使用しないとき、連結部１２における着脱により側壁３Ｇを２個以上に分割収納することができる。
【０１１０】
なお、本発明は、前述した実施形態などに限定されるものではなく、必要に応じて種々の変更が可能である。
【０１１１】
例えば、他の実施形態のペット用トイレ１Ｊにおいては、図９に示すように、第１から第５の実施形態における底部２Ａと側壁３Ａ〜３Ｅとの境界線上に蝶番などの回動軸９を設けて側壁３Ａ〜３Ｅを回動自在に形成することにより、その側壁３Ａ〜３Ｅが底部２Ａの蓋となるように形成されていても良い。その際、第１から第５の実施形態と同様に、側壁３Ａ〜３Ｅの裏面（外側面）側に化粧板６Ａもしくは６Ｂを配設し、その側壁３Ａ〜３Ｅに対して化粧板６Ａもしくは６Ｂを入替自在に形成する。
【０１１２】
また、第１から第７の実施形態の底部２Ａ、２Ｂの底面２ａは平面状に形成されていなくてもよい。例えば、図１０に示すように、他の実施形態のペット用トイレ１Ｈにおいて、その底部２Ｃは、上段の便座部２ｃと下段の便溜部２ｄからなる汲み取り式便器構造に形成されていてもよい。その際には、便溜部２ｄに吸水シート２ｂを敷いておくことが好ましい。
【図面の簡単な説明】
【０１１３】
【図１】第１の実施形態のペット用トイレを示す斜視図
【図２】第１の実施形態のペット用トイレを示す平面図
【図３】第２の実施形態のペット用トイレを示す斜視図
【図４】第３の実施形態のペット用トイレを示す斜視図
【図５】第４の実施形態のペット用トイレを示す斜視図
【図６】第５の実施形態のペット用トイレを示す斜視図
【図７】第６の実施形態のペット用トイレを示す斜視図
【図８】第６の実施形態の側壁を折りたたんだ状態を示す平面図
【図９】他の実施形態ペット用トイレを示す斜視図
【図１０】他の実施形態ペット用トイレを示す斜視図
【図１１】第２の実施形態に類似する他の実施形態ペット用トイレを示す斜視図
【図１２】第７の実施形態のペット用トイレを示す斜視図
【図１３】第７の実施形態に類似する他の実施形態のペット用トイレを示す斜視図
【図１４】従来のペット用トイレを示す斜視図
【図１５】従来のペット用トイレを示す斜視図
【符号の説明】
【０１１４】
１Ａ〜１Ｉ  ペット用トイレ  
２Ａ〜２Ｃ  底部
３Ａ〜３Ｇ  側壁
４Ａ〜４Ｇ  内壁
５Ａ、５Ｂ  透明外板
６Ａ、６Ｂ  化粧板
７Ａ、７Ｂ  枠部
８  ねじ
１１  回動軸
１２  連結部
【図１】
2008086205.tif 000003
【図２】
2008086205.tif 000004
【図３】
2008086205.tif 000005
【図４】
2008086205.tif 000006
【図５】
2008086205.tif 000007
【図６】
2008086205.tif 000008
【図７】
2008086205.tif 000009
【図８】
2008086205.tif 000010
【図９】
2008086205.tif 000011
【図１０】
2008086205.tif 000012
【図１１】
2008086205.tif 000013
【図１２】
2008086205.tif 000014
【図１３】
2008086205.tif 000015
【図１４】
2008086205.tif 000016
【図１５】
2008086205.tif 000017